(57)【要約】【課題】レーザノイズ成分を除去し、レーザダイオードの良好な出力特性を維持する。【解決手段】光ディスク２０にレーザ光を照射する発光素子５と、光ディスク２０の信号記録面にレーザ光を集光させる対物レンズ２２と、光ディスク２０によって反射された戻り光を受光する受光素子３と、戻り光が発光素子５に入射することにより発生するノイズ成分を除去するノイズ成分除去手段９を光路上に備える。【選択図】図５
2005353258.tif 000002
【特許請求の範囲】
【請求項１】
光ディスクから信号を読み出す光ピックアップ装置において、
上記光ディスクに照射されるレーザ光を出射する発光素子と、
上記発光素子から出射されたレーザ光を上記光ディスクの信号記録面に集光させる集光素子と、
上記光ディスクの信号記録面にて反射された戻り光を受光する受光素子と、
上記出射光と上記戻り光との経路とを共有する光路内に配設され、上記出射光と上記戻り光との干渉によって発生するノイズ成分を除去するノイズ除去手段と
有することを特徴とする光ピックアップ装置。
【請求項２】
上記ノイズ除去手段は、１／４波長板を備えていることを特徴とする請求項１記載の光ピックアップ装置。
【請求項３】
上記ノイズ除去手段は、液晶光学素子を備えていることを特徴とする請求項１記載の光ピックアップ装置。
【請求項４】
上記ノイズ除去手段は、上記液晶光学素子の偏向回転角を設定する位相制御手段をさらに備えることを特徴とする請求項３記載の光ピックアップ装置。
【請求項５】
光ディスクに記録された記録信号を再生する再生装置において、
上記光ディスクに照射されるレーザ光を出射する発光素子と、
上記発光素子から出射されたレーザ光を上記光ディスクの信号記録面に集光させる集光素子と、
上記光ディスクの信号記録面にて反射された戻り光を受光する受光素子と、
上記出射光と上記戻り光との経路とが共有する光路内に配設され、上記出射光と上記戻り光との干渉によって発生するノイズ成分を除去するノイズ除去手段と、
上記受光素子にて受光される戻り光から上記光ディスクに記録された記録信号を再生する再生手段と、
上記再生手段にて再生された再生信号に基づいて上記光ディスクの種類を判別し、判別された光ディスクの種類に応じた上記ノイズ除去手段の動作を設定する設定値を出力する制御手段と、
上記制御手段から出力される設定値に基づいて上記ノイズ除去手段のノイズ除去特性を制御するノイズ除去制御手段と
を備えることを特徴とする再生装置。
【請求項６】
上記ノイズ除去手段は、液晶光学素子を備えていることを特徴とする請求項５記載の再生装置。
【請求項７】
上記ノイズ除去制御手段は、上記液晶光学素子が所定の回転偏向角の位相特性となる電圧で上記液晶光学素子を駆動する請求項６記載の再生装置。
【発明の詳細な説明】
【技術分野】
【０００１】
本発明は、光ディスクに対して情報信号の記録や再生を行うための光ピックアップ装置及び光ディスクに記録された記録信号を再生する再生装置に関する。
【背景技術】
【０００２】
従来、光学記録媒体としての光ディスクに対し情報信号の記録又は再生を行うために用いられる光ピックアップ装置において、発光素子と受光素子とをハイブリッドに配置した構造のレーザカプラと称される光集積素子が用いられている。
【０００３】
このレーザカプラ１００は、図１及び図２に示すように、表面領域に光検出部となるフォトダイオード１０１ａ，１０１ｂが設けられた１個のシリコンチップ１０２上に、発光素子であるレーザダイオード１０３とマイクロプリズム１０４が取り付けられたレーザカプラチップ１０５を、例えば、フラットパッケージ１０６内に収容して構成されている。
【０００４】
レーザダイオード１０３は、光ディスク装置に装着される各種光ディスクのフォーマットに応じて、一又は複数の波長帯域からなるレーザ光を、情報信号の記録時又は再生時に応じた強度で発光する。そして、レーザダイオード１０３の前面から出射した出射光は、マイクロプリズム１０４の傾斜端面１０４ａでほぼ直角に反射され、フラットパッケージ１０６の上面に配した透明カバーガラス１１０を介して、図２に示すように、集光素子である対物レンズ１１２に入射され、この対物レンズ１１２により集光されて光ディスク１１３の信号記録面に照射される。一方、光ディスク１１３の信号記録面で反射した反射光は、再び対物レンズ１１２に入射し、この対物レンズ１１２を介してフラットパッケージ１０６内へ入射される。光ディスク１１３からの反射光は、マイクロプリズム１０４の傾斜端面１０４ａからマイクロプリズム１０４内に入射し、このマイクロプリズム１０４内で反射されてフォトダイオード１０１ａ，１０１ｂにより検出される。
【０００５】
このようなレーザカプラ１００を用いた光ピックアップ装置においては、光ディスク１１３によって反射された反射光の一部がマイクロプリズム１０４の傾斜端面１０４ａで反射され、往路光学系を逆行することにより、発光素子であるレーザダイオード１０３へ入射する戻り光が発生する。かかる戻り光は、レーザダイオード１０３に入射することにより、所定の波長及び強度に制御されて出力されているレーザ光と干渉し、レーザダイオード１０３の出力特性に悪影響を与えるレーザノイズ成分となることから、様々な対応策が採られている。
【０００６】
例えば、レーザダイオード１０３に印加される電流に数１００ＭＨｚから数ＧＨｚ程度の高周波を重畳し、ＯＮ／ＯＦＦを素早く繰り返す発光パターンとする方法や、レーザダイオード１０３自体の構造を改良することにより自発的にＯＮ／ＯＦＦを素早く繰り返すいわゆる自励発振レーザとする方法等が知られている。
【０００７】
【特許文献１】特開平１１−１５０３２３号公報
【発明の開示】
【発明が解決しようとする課題】
【０００８】
ところで、携帯型の音響再生装置、薄型のモバイルノートパソコン、携帯型ゲーム機等の携帯型の電子機器においては、機器本体のさらなる小型化、薄型化、さらには低消費電力化への要求が高まっており、かかる携帯型の電子機器に用いられる光ディスク装置及び光ディスク装置に用いられる光ピックアップ装置においても、光学系全体のさらなる小型化、低消費電力化への対応が求められている。そして、光ピックアップ装置及びこの光ピックアップ装置を用いた光ディスク装置の一層の小型化を実現するため、光ピックアップ装置のレーザ光を出射する発光素子から光ディスクにより反射された反射光を検出する検出素子に至る光路長を短くすることが行われている。
【０００９】
このような携帯側の電子機器の一層の小型化を図り、低消費電力化とともに光路長の短縮化を実現するため、上述した高周波の重畳や自励発信レーザを用いることによる対応では十分ではない。
【００１０】
すなわち、光ピックアップ装置において、レーザ光は基本的にレーザダイオードから発光された光が再びレーザダイオード自身に戻ってくるまでの経路が短いほど、レーザダイオードから出射するレーザ光と戻りのレーザ光とが強く干渉し、光路長を短縮化することで、より高い確率で出射するレーザ光と戻りのレーザ光との干渉によるレーザノイズ成分が発生してしまう。
【００１１】
また、高周波を重畳させてレーザダイオードを駆動する方式を採用した場合には、レーザダイオードの駆動を制御する駆動制御回路の消費電力が大きく、低消費電力化の要求に反する。そして、自励発振レーザはいわゆるシングルモードレーザと比較し原理的に動作電流が大きく、これも低消費電力化の要求に反する。
【００１２】
そこで、本発明は、装置自体の小型化を図り、低消費電力化の要求に応えつつレーザノイズの発生を抑え、レーザダイオードの良好な出力特性を維持することができる光ピックアップ装置及びこの光ピックアップ装置を用いた再生装置を提供することを技術課題とする。
【課題を解決するための手段】
【００１３】
本発明は、光ディスクから信号を読み出す光ピックアップ装置において、光ディスクに照射されるレーザ光を出射する発光素子と、発光素子から出射されたレーザ光を光ディスクの信号記録面に集光させる対物レンズと、光ディスクの信号記録面にて反射された戻り光を受光する受光素子と、出射光と戻り光との経路とを共有する光路内に配設され、出射光と戻り光との干渉によって発生するノイズ成分を除去するノイズ除去手段と有する。
【００１４】
また、本発明は、光ディスクに記録された記録信号を再生する再生装置において、光ディスクに照射されるレーザ光を出射する発光素子と、発光素子から出射されたレーザ光を光ディスクの信号記録面に集光させる集光素子と、光ディスクの信号記録面にて反射された戻り光を受光する受光素子と、出射光と戻り光との経路とが共有する光路内に配設され、出射光と戻り光との干渉によって発生するノイズ成分を除去するノイズ除去手段と、受光素子にて受光される戻り光から光ディスクに記録された記録信号を再生する再生手段と、再生手段にて再生された再生信号に基づいて光ディスクの種類を判別し、判別された光ディスクの種類に応じたノイズ除去手段の動作を設定する設定値を出力する制御手段と、制御手段から出力される設定値に基づいてノイズ除去手段のノイズ除去特性を制御するノイズ除去制御手段とを備える。
【発明の効果】
【００１５】
本発明に係る光ピックアップ装置は、光ディスクにより反射された反射光のうち、発光素子側へ反射され、発光素子内に入射する戻り光が発生した場合にも、発光素子より出射された出射光はノイズ成分除去手段によって偏光状態が回転されるので、戻り光と出射光との偏光状態が相違するため、戻り光と出射光との干渉が抑えられ、レーザノイズ成分の発生を抑えることができ、光路長の短縮化と光学系の小型化、低消費電力化とを実現することができる。
【００１６】
また、本発明に係る再生装置は。再生手段にて再生された再生信号に基づいて光ディスクの種類を判別し、判別された光ディスクの種類に応じて上述したノイズ除去手段の動作を設定する設定値を設定するようにしているので、再生される光ディスクの種類に応じて最適のレーザノイズ除去特性が実現され、この再生装置により再生される光ディスクの種類に左右されることなく良好な再生特性で光ディスクに記録された情報信号の再生を行うことができる。
【発明を実施するための最良の形態】
【００１７】
以下、本発明が適用された光ピックアップ装置の最良の実施の形態を図面を参照しながら詳細に説明する。
【００１８】
この光ピックアップ装置の光学系は、発光素子と受光素子とをハイブリッドに配置した構造のレーザカプラと称される光集積素子を用いた光学系を備える。この光学系を構成するレーザカプラ１は、図３及び図４に示すように、表面領域に光検出用のフォトディテクタ３ａ，３ｂが設けられた１個のシリコンチップ４上に、発光源であるレーザダイオード５とマイクロプリズム６が取り付けられたレーザカプラチップ７を、例えば、フラットパッケージ８内に収容して構成されている。
【００１９】
レーザカプラチップ７を構成するシリコンチップ４は、図３に示すように、略矩形状に形成され、シリコンウェハ上に拡散等によってフォトディテクタ３ａ，３ｂが作り込まれ、シリコンウェハを略矩形状にダイシングされることにより形成される。このシリコンチップ４上には、長手方向の一端４ａ側に位置してマイクロプリズム６が配置され、他端４ｂ側に位置してレーザダイオード５が搭載されたフォトダイオードチップ１１が配置されている。
【００２０】
マイクロプリズム６は、シリコンチップ４上に形成されたフォトディテクタ３ａ，３ｂ上に配置されている。このマイクロプリズム６は、シリコンチップ４の他端４ｂ側から一端４ａ側に向かって傾斜する傾斜端面６ａが形成されている。また、マイクロプリズム６の上面６ｂ及び底面６ｃは略平坦な面として形成されている。マイクロプリズム６の傾斜端面６ａは、後述するレーザダイオード５と対向して配置され、レーザダイオード５から出射されるレーザ光が照射されると、ほぼ直角方向に反射させてレーザ光を光ディスク２０の信号記録面に照射させる。また、傾斜端面６ａは、光ディスク２０からの反射光が照射されると、この反射光を屈折させることによりマイクロプリズム６内を透過させ、マイクロプリズム６の下方でシリコンチップ４の表面部に形成されたフォトディテクタ３ａ，３ｂに導く。
【００２１】
マイクロプリズム６に照射されるレーザ光を出射するレーザダイオード５は、図３に示すように、表面領域にＰＩＮフォトダイオード１０が設けられたフォトダイオードチップ１１上に配置され、このフォトダイオードチップ１１を介してシリコンチップ４の他端４ｂ側に取り付けられる。また、レーザダイオード５は、図３に示すように、マイクロプリズム６の傾斜端面６ａと正対され、出射されたレーザ光がマイクロプリズム６の傾斜端面６ａに照射される。なお、フォトダイオードチップ１１に設けられたＰＩＮフォトダイオード１０は、レーザダイオード５の出力を制御する目的で、そのレーザダイオード５の後面から出射するレーザ光をモニターする。
【００２２】
光ディスク２０の信号記録面に入射され、この信号記録面により反射された反射光が入射するフォトディテクタ３ａ，３ｂは、図３に示すように、シリコンチップ４の一端４ａ側に形成されている。フォトディテクタ３ａ，３ｂは、光ディスク２０からの反射光が入射され、この入射された反射光を検出することにより、光ディスク２０に入射するレーザ光が信号記録面に合焦するように対物レンズを制御するフォーカスエラー信号を生成し、さらに、対物レンズにより集光されたレーザ光が信号記録面に形成された記録トラックに追従するように制御するトラッキングエラー信号を生成する。
【００２３】
なお、フォトディテクタ３ａ，３ｂは、フォーカスエラー信号、トラッキングエラー信号の検出方法に応じて各種パターンが用いられる。
【００２４】
なお、シリコンチップ４は、フォトダイオードチップ１１の近傍に、レーザカプラチップ７を収納するフラットパッケージ８の基板と接続するボンディングワイヤ用の図示しな
いワイヤパッドが設けられている。
【００２５】
レーザカプラチップ７を収納するフラットパッケージ８は、図４に示すように、レーザカプラチップ７のシリコンチップ４が収納される収納凹部１２が形成されている。収納凹部１２には、レーザカプラチップ７がマウントされるマウント基板が設けられている。レーザカプラチップ７は、マウント基板にマウントされるとともに、ワイヤパッドとボンディングワイヤを介して接続されている。
【００２６】
また、レーザカプラチップ７が収納されたフラットパッケージ８は、図４に示すように、１／４波長板９によりシールされている。１／４波長板９は、レーザダイオード５より出射されたレーザ光の偏光状態を変化させることにより、光ディスク２０の信号記録面によって反射された反射光がマイクロプリズム６の傾斜端面６ａでレーザダイオード５側へ反射する戻り光が発生した場合にも、出射光と戻り光との偏光状態の相違により両者の干渉を防止するものである。
【００２７】
すなわち、１／４波長板９は、フラットパッケージ８の収納凹部１２をシールすることにより、レーザダイオード５より出射された直線偏光を円偏光又は楕円偏光としてレーザカプラチップ７側に入射する。かかるレーザ光が光ピックアップ装置の他の光学系を経て光ディスク２０の信号記録面で反射され、再度、レーザカプラチップ７内へ入射されると、さらに１／４波長板９によって偏光されるため、この反射光はレーザダイオード５よりマイクロプリズム６へ向けて出射された出射光と偏光状態が９０°異なる。したがって、反射光の一部がマイクロプリズム６の傾斜端面６ａでレーザダイオード５側へ反射されこの戻り光がレーザダイオード５に入射しても、出射光とは干渉せず、レーザノイズ成分の発生を抑えることができる。
【００２８】
このようなレーザカプラ１は、光ピックアップ装置のピックアップベースに設けられる。このとき、レーザカプラ１より入出射されるレーザ光の光路上には、図５に示すように、レーザ光を光ディスク２０側に反射させるための反射ミラーである立上げミラー２１と、レーザ光を光ディスク２０の信号記録面に集光させる対物レンズ２２が位置される。レーザカプラ１は、このピックアップベースが移動されることにより、光ディスク装置に装着された光ディスク２０の径方向に亘って移動される。そして、光ディスク装置の制御部からの再生信号を受けると、レーザカプラ１は、光ディスク装置に装着された光ディスク２０の種類に応じた帯域の波長及び強度のレーザ光をレーザダイオード５から出射する。レーザダイオード５から出射されたレーザ光は、マイクロプリズム６の傾斜端面６ａによって反射され、レーザダイオード５からの出射方向に対し直角となるように光路が変更する。光路が出射方向に対し直角に折り曲げられた直線偏光のレーザ光は、１／４波長板９により円偏光とされた後、図５に示すように、フラットパッケージ８上から立上げミラー２１側に入射される。立ち上げミラー２１に入射されたレーザ光は、図５に示すように、立ち上げミラー２１に反射され、光路が直角に折り曲げられて対物レンズ２２に入射し、この対物レンズ２２により集光されて光ディスク２０の信号記録面に照射される。
【００２９】
光ディスク２０に入射され、光ディスク２０の信号記録面により反射された反射光は、再び対物レンズ２２を透過し、立上げミラー２１により光路が直角に折り曲げられてフラットパッケージ８内へ導かれる。フラットパッケージ８内に導かれた反射光は、傾斜端面６ａを介してマイクロプリズム６内に入射する。ところで、反射光は、傾斜端面６ａを介してマイクロプリズム６に入射する際に回折され、複数の光ビームに分割され、これら分割された光ビームがレーザカプラチップ７の表面領域に形成されたフォトディテクタ３ａ，３ｂにそれぞれ入射する。反射光が入射されるフォトディテクタ３ａ，３ｂは、検出する反射光に基づいて、光ディスク２０に入射するレーザ光が信号記録面に合焦するように対物レンズを制御するフォーカスエラー信号を生成し、さらに、対物レンズにより集光されたレーザ光が信号記録面に形成された記録トラックに追従するように制御するトラッキングエラー信号を生成する。
【００３０】
ところで、光ディスク２０の信号記録面から反射された反射光のうち、マイクロプリズム６の傾斜端面６ａによってレーザダイオード５側へ反射され、レーザダイオード５内に入射する戻り光が発生することがある。このようなレーザダイオード５側に入射する戻り光が発生したとしても、レーザカプラチップ７より出射された出射光は１／４波長板９によって偏光状態が９０°回転されており、戻り光と出射光とは偏光状態が相違している。したがって、レーザカプラ１を用いた光ピックアップ装置によれば、戻り光と出射光との干渉が抑制され、戻り光と出射光との干渉により発生するレーザノイズ成分を抑えることができる。これにより、光ピックアップ装置の光学系の光路長を短縮化しても、出射光にノイズ成分が発生することを抑えることができ、このノイズ成分を除去するために高周波を重畳させたり自励発振レーザを用いる必要がなくなり、レーザ光の発光素子であるレーザダイオード５から光ディスク２０の信号記録面から反射された反射光を検出する検出素子としてのフォトディテクタ３ａ，３ｂに至る光の光路長を短縮し、光学系の小型化とともに、低消費電力化を実現することができる。
【００３１】
図６に、１／４波長板９を備える本発明が適用された光ピックアップ装置によって検出されたＲＦ信号のアイパターン（図６（ｂ）参照。）と、１／４波長板９を備えていない光ピックアップ装置によって検出されたＲＦ信号のアイパターン（図６（ａ）参照。）とを示す。戻り光によるレーザノイズ成分が発生すると、レーザダイオード５の出力特性に影響するため、ＲＦ信号のアイパターンの劣化として現れる。図６（ｂ）に示すように、本発明を適用した１／４波長板９を備える光ピックアップ装置によれば、１／４波長板９を用いることない光ピックアップ装置に比べて、ＲＦ信号のアイパターンが格段に改善されていることが分かる。したがって、本発明が適用された光ピックアップ装置によれば、高周波の重畳や自励発信レーザ等を用いることなく、光ディスク２０に記録された情報信号の検出を安定して行うことができる。
【００３２】
また、本発明が適用された光ピックアップは、上述した１／４波長板を用いるものに限られず、例えば液晶素子を用いてレーザ光の偏光状態を回転させるようにしてもよい。なお、以下の説明においては上記レーザカプラ１と同一の部材については同一の符号を付してその詳細を省略する。
【００３３】
このレーザカプラ３０は、上述したレーザカプラ１ように１／４波長板９を用いることなく構成したものであり、フラットパッケージ８の収納凹部１２には透明なカバーガラスが配設されている。レーザカプラ３０より出射されるレーザ光の光路上には、図７に示すように、液晶素子３１と、レーザ光を光ディスク２０側へ反射させるための反射ミラーである立上げミラー２１と、レーザ光を光ディスク２０の信号記録面に集光して照射するための対物レンズ２２とが配置されている。
【００３４】
液晶素子３１は、レーザカプラチップ７より出射されたレーザ光の偏光状態を変化させることにより、光ディスク２０の信号記録面によって反射された反射光の一部がマイクロプリズム６の傾斜端面６で反射され、戻り光となってレーザダイオード５側へ入射した場合にも、出射光と戻り光との偏光状態の相違により両者の干渉が抑えられる。この液晶素子３１は、透明電極が形成された２枚のガラス基板間に液晶分子を介在させて形成されている。そして、各透明電極にそれぞれ駆動電圧を印加すると、印加された電圧に応じて発生する電界により液晶分子の配向が偏倚され、これにより液晶素子３１を透過するレーザ光の偏光状態を任意に変化させることができる。
【００３５】
したがって、光学系の一部に上述のような液晶素子３１を備えた光ピックアップ装置によれば、レーザカプラチップ７より出射された直線偏光を円偏光又は楕円偏光として出射させることができる。かかるレーザ光が他の光学系を経て光ディスク２０の信号記録面で反射され、再度、液晶素子３１を介してレーザカプラチップ７内へ入射される。この反射光は、再度液晶素子３１によって偏光されているため、レーザダイオード５よりマイクロプリズム６へ向けて出射された出射光と偏光状態が異なる。したがって、反射光の一部がマイクロプリズム６の傾斜端面６ａでレーザダイオード５側へ反射され、戻り光となってレーザダイオード５に入射しても、出射光とは干渉せず、出射光にレーザノイズ成分を重畳させることを抑えることができる。
【００３６】
なお、液晶素子３１を用いた光ピックアップ装置は、フォトディテクタ３ａ，３ｂで検出された光ディスク２０に記録した情報信号を検出して得られるＲＦ信号より、温度等の環境変化や光学系の個々の構成部品の精度バラツキ等によるジッタ値の劣化に応じて、出射光と戻り光とが互いに干渉しないような偏光状態となるように、液晶素子３１のガラス基板に設けられた透明電極に印加される電圧を制御してレーザ光の偏光状態を調整することができる。
【００３７】
なお、本発明を構成するノイズ除去手段となる液晶素子３１は、図７に示す配置位置に限定されるものではなく、レーザダイオード５からの出射光と光ディスク２０の信号記録面にて反射されて戻ってくる戻り光とが干渉を発生させる光路内であればいずれの位置に配設したものであってもよい。すなわち、液晶素子３１は、出射光が透過する出射光路と戻り光が透過する戻り光路とが共有される空間内であればいずれの位置であってもよい。
【００３８】
次に、上述したように構成された光ピックアップ装置を用いた光ディスクの再生装置を説明する。
【００３９】
本発明が適用された光ピックアップ装置を用いた光ディスク２０の再生装置は、図８に示すように、図示しないターンテーブルに載置された光ディスク２０を一定線速度（ＣＬＶ）若しくは一定角速度（ＣＡＶ）で回転操作するスピンドルモータ２０２を備える。光ディスク２０に記録された情報信号は、スピンドルモータ２０２によってターンテーブルと一体に回転操作され、光ピックアップ装置２０３から出射されるレーザ光により信号記録面が走査されることにより、信号記録面に微小な凹凸パターンによって記録された情報信号の読み出しが行われて再生される。
【００４０】
ここで、本発明が適用された再生装置において再生される光ディスク２０として、微小な凹凸パターンであるエンボスピット形態で情報が記録された再生専用型の光ディスクであるＲＯＭ型の光ディスクを用いる例を想定しているが、本発明は、例えば色素変化型のピットパターンに情報が記録さるライトワンス型の光ディスク、あるいは相変化型のピットパターンにより情報が記録される書き換え可能型の光ディスクを記録媒体として用いる再生装置にも適用できる。すなわち、本発明に係る再生装置は、情報の記録を可能とした記録可能型の光ディスクであって、情報が記録された光ディスクを再生する場合にも用いることができる。
【００４１】
図８に示す再生装置に用いられる光ピックアップ装置２０３は、図３に示すように、レーザ光源となるレーザダイオード５と、光ディスク２０から反射される戻り光を検出するためのフォトディテクタ３ａ，３ｂと、レーザダイオード５から出射されたレーザ光を光ディスク２０の信号記録面に集光して照射する対物レンズ２２を備え、さらに、図示しないが、光ディスク２０からの戻り光を検出して得られるフォーカスエラー信号に基づいて対物レンズ２２をその光軸方向に駆動変位させ、さらに、光ディスク２０からの戻り光を検出して得られるトラッキングエラー信号に基づいて対物レンズ２０をその光軸方向と直交する平面方向に駆動変位させる二軸アクチュエータとを備える。
【００４２】
ここで、光ピックアップ装置２０３は、スライド駆動によってスピンドルモータ２０２によって回転駆動される光ディスク０２の半径方向に移動操作される。
【００４３】
そして、光ピックアップ装置２０３のレーザダイオード５から出射され、光ディスク２０の信号記録面に照射され、この信号記録面から反射された戻り光は、フォトディテクタ３ａ，３ｂによって検出され、受光量に応じた電気信号に変換されてＲＦアンプ２０８に供給される。
【００４４】
ところで、図８に示す再生装置に用いられるＲＦアンプ２０８は、光ピックアップ装置２０３内の複数のフォトディテクタ３ａ，３ｂに検出され電気信号を変換処理する電流電圧変換回路、マトリクス演算／増幅回路等を備え、マトリクス演算処理により必要な信号を生成する。例えば、再生信号であるＲＦ信号、対物レンズ２２の位置制御を行うフォーカスエラー信号ＦＥ、トラッキングエラー信号ＴＥ等を生成する。そして、ＲＦアンプ２０８から出力されるＲＦ信号は再生信号処理部２０９へ供給され、フォーカスエラー信号ＦＥとトラッキングエラー信号ＴＥとはサーボ制御部２１０へ供給される。
【００４５】
ＲＦアンプ２０８から出力されたＲＦ信号は、再生信号処理部２０９において２値化され、ＰＬＬクロック生成が行われ、さらに、デコード処理、エラー訂正処理等が行われる。これらの処理により、光ディスク２０からの再生データＤＴが得られ、所定のデータ処理部若しくは外部機器に出力される。
【００４６】
また、再生信号処理部２０９では、ＲＦ信号に対するデコード及びエラー訂正により得られた情報の中からサブコード情報やアドレス情報を抽出し、これらの情報をコントローラ２１２に供給する。コントローラ２１２は、例えばマイクロコンピュータによって構成され、装置全体の制御を行う。
【００４７】
そして、サーボ制御部２１０は、例えば、ＤＳＰ(Digital Signal Processor)により構成され、ＲＦアンプ２０８からのフォーカスエラー信号ＦＥ、トラッキングエラー信号ＴＥ、さらに、再生信号処理部２０９若しくはコントローラ２１２からのスピンドルエラー信号ＳＰＥ等から、フォーカス、トラッキング、スレッド、スピンドルの各種サーボ駆動信号を生成し、各サーボ動作を実行させる。すなわち、サーボ制御部２１０は、フォーカスエラー信号ＦＥ、トラッキングエラー信号ＴＥに応じてフォーカス駆動信号、トラッキング駆動信号を生成し、フォーカス／トラッキング駆動回路２０６に供給する。フォーカス／トラッキング駆動回路２０６は、光ピックアップ装置２０３を構成する二軸アクチュエータのフォーカスコイル、トラッキングコイルに供給される。これによって、光ピックアップ装置２０３、ＲＦアンプ２０８、サーボ制御部２１０、フォーカス／トラッキング駆動回路２０６、二軸アクチュエータによるフォーカスサーボループ及びトラッキングサーボループが形成される。
【００４８】
サーボ制御部２１０は、さらにスピンドルモータ駆動回路２０７に対してスピンドルエラー信号に応じて生成したスピンドル駆動信号を供給する。スピンドルモータ駆動回路２０７は、スピンドル駆動信号に応じて、例えば３相駆動信号をスピンドルモータ２０２に供給し、スピンドルモータ２０２を回転駆動させる。また、サーボ制御部２１０は、コントローラ２１２からのスピンドルキック／ブレーキ制御信号に応じてスピンドル駆動信号を発生し、スピンドルモータ駆動回路２０７によるスピンドルモータ２０２の起動、停止、加速、減速などの動作も制御する。
【００４９】
また、サーボ制御部２１０は、例えばトラッキングエラー信号ＴＥの低域成分として得られるスライドエラー信号や、コントローラ２１２からのアクセス実効制御などに基づいてスライド駆動信号を生成し、スライド駆動回路２０５に供給する。スライド駆動回路２０５は、スライド駆動信号に応じてスライド駆動部２０４を駆動する。スライド駆動部２０４には、図示しないが、光ピックアップ装置２０３を移動可能に支持するメインシャフト、スレッドモータ、伝達ギヤ等を備えた機構を有し、スライド駆動回路２０５がスライド駆動信号に応じてスライド駆動部２０４を駆動することで、光ピックアップ装置２０３の光ディスク２０の径方向に亘る移動操作が行われる。
【００５０】
さらに、コントローラ２１２は、再生信号処理部から得られる再生信号を解析するなどして、ターンテーブルに装着された光ディスク２０の種類を判別する。コントローラ２１２は、判別した光ディスク２０の種類に基づいて、このコントローラ２１２が予め記憶している光ディスク毎に最適な偏光回転角情報を得る。そして、コントローラ２１２は、ターンテーブルに装着された光ディスク２０に最適な偏光回転角情報を位相制御回路２１３に供給する。この位相制御回路２１３は、光ピックアップ装置２０３内に配設された液晶素子３１に偏光回転角を与える電圧を制御するものであって、コントローラ２１２から供給された偏光回転角情報に基づいて液晶素子３１の偏光回転角を制御するための電圧を発生し、液晶素子３１に印加する。
【００５１】
上述の動作によって、ターンテーブルに装着された光ディスク２０の種類に応じた最適の偏光回転角に設定された液晶素子３１がレーザ光の光路上に配設され、レーザダイオード５から出射される出射光と光ディスク２０の信号記録面から反射された戻り光との干渉によるノイズ成分の発生が抑えられ、ノイズ成分の良質の再生信号が得られる。
【図面の簡単な説明】
【００５２】
【図１】従来の光ピックアップの光集積素子を示す斜視図である。
【図２】従来の光ピックアップの光集積素子を示す側面図である。
【図３】本発明が適用された光ピックアップの光集積素子を示す斜視図である。
【図４】本発明が適用された光ピックアップの光集積素子を示す斜視図である。
【図５】本発明が適用された光ピックアップの光学系を示す側面図である。
【図６】本発明が適用された光ピックアップのＲＦ信号のアイパターンを示す図である。
【図７】本発明が適用された光ピックアップの他の光学系を示す側面図である。
【図８】本発明が適用された再生装置の一例を示すブロック回路図である。
【符号の説明】
【００５３】
１，３０  レーザカプラ、３  フォトディテクタ、４  シリコンチップ、５  レーザダイオード、６  マイクロプリズム、７  レーザカプラチップ、８  フラットパッケージ、９  １／４波長板、１０  ＰＩＮフォトダイオード、１１  フォトダイオードチップ、１２  収納凹部、２０  光ディスク、２１  立上げミラー、２２  対物レンズ、３１  液晶素子、
【図１】
2005353258.tif 000003
【図２】
2005353258.tif 000004
【図３】
2005353258.tif 000005
【図４】
2005353258.tif 000006
【図５】
2005353258.tif 000007
【図６】
2005353258.tif 000008
【図７】
2005353258.tif 000009
【図８】
2005353258.tif 000010